(57)【特許請求の範囲】
【請求項１】
データを論理チャネル上で受信し、
第１の許可によって割り付けられる第１のリソースが前記受信されたデータを送信するための第１の時間伝送間隔の間に利用可能でないということを決定し、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定し、
第２の許可によって割り付けられる第２のリソースが前記受信されたデータを送信するための第２の時間伝送間隔の間に利用可能であるということを決定し、
前記受信されたデータの前記量が前記第２のリソースのサイズ以下であるときに前記ＢＳＲ、前記ＳＲ、及び前記ＲＡＣＨ手順を発生させることなく前記第２の時間伝送間隔の間に前記受信されたデータを送信し、
前記受信されたデータの前記量が前記第１のリソース及び第２のリソースのサイズより大きいときに前記ＢＳＲを動作させ、
前記ＳＲを基地局に送信するかどうかを前記基地局が前記ＳＲを受信するように構成されているかどうかに基づいて決定し、
前記基地局が前記ＳＲを受信するように構成されていないときに前記第２の時間伝送間隔の間に前記ＳＲ及び前記ＲＡＣＨ手順を動作させることなく前記ＢＳＲを前記基地局に送信する
ように構成されたコントローラを備える、無線通信装置。
【請求項２】
前記第１及び第２の許可の各々は、半永続的なスケジューリング（ＳＰＳ）許可である、請求項１に記載の無線通信装置。
【請求項３】
前記コントローラは、前記基地局が前記ＳＲを受信するように構成されているときに前記ＳＲを前記基地局に送信し、前記データの送信のために第３のリソースを受信するように更に構成されており、前記第３のリソースは第３の許可によって割り付けられる、請求項２に記載の無線通信装置。
【請求項４】
前記第３の許可は、前記第１の許可及び前記第２の許可と異なる許可のタイプである、請求項３に記載の無線通信装置。
【請求項５】
前記第３の許可は、動的な許可である、請求項４に記載の無線通信装置。
【請求項６】
データを論理チャネル上で受信することと、
第１の許可によって割り付けられる第１のリソースが前記受信されたデータを送信するための第１の時間伝送間隔の間に利用可能でないということを決定することと、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定することと、
第２の許可によって割り付けられる第２のリソースが前記受信されたデータを送信するための第２の時間伝送間隔の間に利用可能であるということを決定することと、
前記受信されたデータの前記量が前記第２のリソースのサイズ以下であるときに前記ＢＳＲ、前記ＳＲ、及び前記ＲＡＣＨ手順を発生させることなく前記第２の時間伝送間隔の間に前記受信されたデータを送信することと、
前記受信されたデータの前記量が前記第１のリソース及び第２のリソースのサイズより大きいときに前記ＢＳＲを動作させることと、
前記ＳＲを基地局に送信するかどうかを前記基地局が前記ＳＲを受信するように構成されているかどうかに基づいて決定することと、
前記基地局が前記ＳＲを受信するように構成されていないときに前記第２の時間伝送間隔の間に前記ＳＲ及び前記ＲＡＣＨ手順を動作させることなく前記ＢＳＲを前記基地局に送信することと
を備える、無線通信のための方法。
【請求項７】
前記第１及び第２の許可の各々は、半永続的なスケジューリング（ＳＰＳ）許可である、請求項６に記載の方法。
【請求項８】
前記基地局が前記ＳＲを受信するように構成されているときに前記ＳＲを前記基地局に送信することと、前記データの送信のために第３のリソースを受信することとを更に備え、前記第３のリソースは第３の許可によって割り付けられる、請求項７に記載の方法。
【請求項９】
前記第３の許可は、前記第１の許可及び前記第２の許可と異なる許可のタイプである、請求項８に記載の方法。
【請求項１０】
前記第３の許可は、動的な許可である、請求項９に記載の方法。
【請求項１１】
データを論理チャネル上で受信する手段と、
第１の許可によって割り付けられる第１のリソースが前記受信されたデータを送信するための第１の時間伝送間隔の間に利用可能でないということを決定する手段と、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定する手段と、
第２の許可によって割り付けられる第２のリソースが前記受信されたデータを送信するための第２の時間伝送間隔の間に利用可能であるということを決定する手段と、
前記受信されたデータの前記量が前記第２のリソースのサイズ以下であるときに前記ＢＳＲ、前記ＳＲ、及び前記ＲＡＣＨ手順を発生させることなく前記第２の時間伝送間隔の間に前記受信されたデータを送信する手段と、
前記受信されたデータの前記量が前記第１のリソース及び第２のリソースのサイズより大きいときに前記ＢＳＲを動作させる手段と、
前記ＳＲを基地局に送信するかどうかを前記基地局が前記ＳＲを受信するように構成されているかどうかに基づいて決定する手段と、
前記基地局が前記ＳＲを受信するように構成されていないときに前記第２の時間伝送間隔の間に前記ＳＲ及び前記ＲＡＣＨ手順を動作させることなく前記ＢＳＲを前記基地局に送信する手段と
を備える装置。
【請求項１２】
前記第１及び第２の許可の各々は、半永続的なスケジューリング（ＳＰＳ）許可である、請求項１１に記載の装置。
【請求項１３】
前記基地局が前記ＳＲを受信するように構成されているときに前記ＳＲを前記基地局に送信する手段と、前記データの送信のために第３のリソースを受信する手段とを更に備え、前記第３のリソースは第３の許可によって割り付けられる、請求項１２に記載の装置。
【請求項１４】
前記第３の許可は、前記第１の許可及び前記第２の許可と異なる許可のタイプである、請求項１３に記載の装置。
【請求項１５】
前記第３の許可は、動的な許可である、請求項１４に記載の装置。
【請求項１６】
データを論理チャネル上で受信するためのコードと、
第１の許可によって割り付けられる第１のリソースが前記受信されたデータを送信するための第１の時間伝送間隔の間に利用可能でないということを決定するためのコードと、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定するためのコードと、
第２の許可によって割り付けられる第２のリソースが前記受信されたデータを送信するための第２の時間伝送間隔の間に利用可能であるということを決定するためのコードと、
前記受信されたデータの前記量が前記第２のリソースのサイズ以下であるときに前記ＢＳＲ、前記ＳＲ、及び前記ＲＡＣＨ手順を発生させることなく前記第２の時間伝送間隔の間に前記受信されたデータを送信するためのコードと、
前記受信されたデータの前記量が前記第１のリソース及び第２のリソースのサイズより大きいときに前記ＢＳＲを動作させるためのコードと、
前記ＳＲを基地局に送信するかどうかを前記基地局が前記ＳＲを受信するように構成されているかどうかに基づいて決定するためのコードと、
前記基地局が前記ＳＲを受信するように構成されていないときに前記第２の時間伝送間隔の間に前記ＳＲ及び前記ＲＡＣＨ手順を動作させることなく前記ＢＳＲを前記基地局に送信するためのコードと
を備えるコンピュータ読み取り可能媒体。
【請求項１７】
前記第１及び第２の許可の各々は、半永続的なスケジューリング（ＳＰＳ）許可である、請求項１６に記載のコンピュータ読み取り可能媒体。
【請求項１８】
前記基地局が前記ＳＲを受信するように構成されているときに前記ＳＲを前記基地局に送信するためのコードと、第３の許可によって割り付けられる第３のリソースを前記データの送信のために前記データの送信のために受信するためのコードとを更に備える、請求項１７に記載のコンピュータ読み取り可能媒体。
【請求項１９】
前記第３の許可は、前記第１の許可及び前記第２の許可と異なる許可のタイプである、請求項１８に記載のコンピュータ読み取り可能媒体。
【請求項２０】
前記第３の許可は、動的な許可である、請求項１９に記載のコンピュータ読み取り可能媒体。
【請求項２１】
前記論理チャネルは、他の論理チャネルより高い優先度を有するように指示されている、請求項１に記載の無線通信装置。
【請求項２２】
前記論理チャネルは、ボイスオーバインターネットプロトコル（ＶｏＩＰ）データを搬送するように構成されている、請求項２１に記載の無線通信装置。
【請求項２３】
前記論理チャネルは、他の論理チャネルより高い優先度を有するように指示されている、請求項６に記載の方法。
【請求項２４】
前記論理チャネルは、ボイスオーバインターネットプロトコル（ＶｏＩＰ）データを搬送するように構成されている、請求項２３に記載の方法。
【請求項２５】
前記論理チャネルは、他の論理チャネルより高い優先度を有するように指示されている、請求項１１に記載の装置。
【請求項２６】
前記論理チャネルは、ボイスオーバインターネットプロトコル（ＶｏＩＰ）データを搬送するように構成されている、請求項２５に記載の装置。
【請求項２７】
前記論理チャネルは、他の論理チャネルより高い優先度を有するように指示されている、請求項１６に記載のコンピュータ読み取り可能媒体。
【請求項２８】
前記論理チャネルは、ボイスオーバインターネットプロトコル（ＶｏＩＰ）データを搬送するように構成されている、請求項２７に記載のコンピュータ読み取り可能媒体。
【発明の詳細な説明】
【米国特許法第１１９条の下での優先権主張】
【０００１】
本願は、本願の譲受人に譲渡され、参照によって本願に明確に組み込まれた２００８年８月１３日出願の“ロングタームエボリューション無線システムにおけるスケジューリングリクエスト及びランダムアクセスチャネル手順の緩和”と題された、米国特許仮出願第６１／０８８，５５２号に対する優先権を主張する。
【技術分野】
【０００２】
本開示は、一般に無線通信システムに関する。特に、本開示は、無線通信システムにおける手順の緩和のための方法及び装置に関する。
【背景技術】
【０００３】
無線通信システムは、音声、ビデオ、パケットデータ、メッセージング、ブロードキャスト等のような様々な通信サービスを提供するために広く展開されている。これらのシステムは、利用可能なシステムリソース（例えば、帯域幅及び送信電力）を共有することによって複数のユーザとの通信をサポートすることが可能な多元接続システムであるかもしれない。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、直交周波数分割多元接続（ＯＦＤＭＡ）システム、及び単一キャリアＦＤＭＡ（ＳＣ−ＦＤＭＡ）システムを含む。
【０００４】
典型的に、ＬＴＥシステムにおいて、半永続的なスケジューリング（ＳＰＳ）は、周期的な伝送時間間隔（ＴＴＩ）の間にのみ有効である。不運にも、アクセス端末から基地局への送信に対するデータの到着は、ＳＰＳのＴＴＩと通常一致しないであろう。したがって、データの到着は、規則的なバッファステータスレポート（ＢＳＲ）を動作させることにおそらく帰着する。そして、それは、スケジューリングリクエスト（ＳＲ）を順に動作させるであろう。ＳＲが基地局で受け入れられない場合、これは、偽のランダムアクセスチャネル（ＲＡＣＨ）手順を動作させるアクセス端末に帰着するであろう。そして、それは、基地局と同じようにアクセス端末の観点から高価なオペレーションであるかもしれない。
【０００５】
したがって、ＬＴＥ無線通信システムにおけるＳＲ及びＲＡＣＨ手順を緩和する方法及び装置に対してその分野における必要性が存在する。
【概要】
【０００６】
下記は、このような態様の基本的了解事項を提供するために１つ以上の態様の簡易化した概要を提示する。この概要は、全ての熟考された態様の広範囲にわたる概観ではなく、全ての態様の鍵または重大な要素を識別することも、任意のまたは全ての態様の範囲を描写することも意図していない。そのただ１つの目的は、後で提示されるより詳細な記述の前ぶれとして簡易化した形式において１つ以上の態様のいくつかの概念を提示することである。
【０００７】
本開示の態様に従うと、無線通信のための方法は、データを論理チャネル上で受信することと、第１の許可が第１の時間伝送間隔の間に利用可能でないということを決定することと、前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定することと、第２の許可が第２の時間伝送間隔の間に利用可能であるということを決定することと、前記受信されたデータが前記許可の前記サイズ以下であるときに前記ＢＳＲ、前記ＳＲ、前記ＲＡＣＨを発生させることなく前記第２の時間伝送間隔の間に前記受信されたデータを送信することとを含む。
【０００８】
本開示の別の態様に従うと、無線通信装置は、データを論理チャネル上で受信し、第１の許可が第１の時間伝送間隔の間に利用可能でないということを決定し、前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定し、第２の許可が第２の時間伝送間隔の間に利用可能であるということを決定し、前記受信されたデータの前記量が前記許可の前記サイズ以下であるときに前記ＢＳＲ、前記ＳＲ、及び前記ＲＡＣＨ手順を発生させることなく前記第２の時間伝送間隔の間に前記受信されたデータを送信するように構成されたコントローラを含む。
【０００９】
本開示の更なる態様に従うと、装置は、データを論理チャネル上で受信する手段と、第１の許可が第１の時間伝送間隔の間に利用可能でないということを決定する手段と、前記受信されたデータの量に基づいてバッファステータスレポート（ＢＳＲ）、スケジューリング要求（ＳＲ）、及びランダムアクセスチャネル（ＲＡＣＨ）手順のうちの少なくとも１つを発生させるかどうかを決定する手段と、第２の許可が第２の時間伝送間隔の間に利用可能であるということを決定する手段と、前記受信されたデータの前記量が前記許可の前記サイズ以下であるときに前記ＢＳＲ、前記ＳＲ、及び前記ＲＡＣＨ手順を発生させることなく前記第２の時間伝送間隔の間に前記受信されたデータを送信する手段とを含む。
【００１０】
本開示のまだ更なる態様に従うと、コンピュータプログラム製品は、データを論理チャネル上で受信するためのコードと、第１の許可が第１の時間伝送間隔の間に利用可能でないということを決定するためのコードと、前記受信されたデータの量に基づいてバッファステータスレポート（ＢＳＲ）、スケジューリング要求（ＳＲ）、及びランダムアクセスチャネル（ＲＡＣＨ）手順のうちの少なくとも１つを発生させるかどうかを決定するためのコードと、第２の許可が第２の時間伝送間隔の間に利用可能であるということを決定するためのコードと、前記受信されたデータの前記量が前記許可の前記サイズ以下であるときに前記ＢＳＲ、前記ＳＲ、及び前記ＲＡＣＨ手順を発生させることなく前記第２の時間伝送間隔の間に前記受信されたデータを送信するためのコードとを含むコンピュータ読み取り可能媒体を含む。
【００１１】
前記のもの及び関連した目的の完成に対して、１つ以上の態様は、下に十分に記述され、特に特許請求の範囲において指示されている特徴を備える。次に続く記述及び添付された図面は、１つ以上の態様のある例証となる特徴を詳細に説明する。しかしながら、これらの特徴は、様々な態様の原理が用いられる様々な方法のいくつかを指示しており、この記述は、全てのこのような態様及びそれらの同等のものを含むことを意図している。
【図面の簡単な説明】
【００１２】
開示された態様は、添えられた図面とともに下に記述され、開示された態様を例証するため、かつ、制限しないために提供されるであろう。ここで、同様な指示は、同様な要素を示す。
【図１】図１は、無線通信システムの態様を例証する；
【図２】図２は、基地局及びアクセス端末の間のアップリンク及びダウンリンクを例証する；
【図３】図３は、通信システムのためのプロトコルスタックのいくつかの態様を例証する；
【図４】図４は、バッファステータスレポート（ＢＳＲ）メッセージの一例を例証する；
【図５】図５は、スケジューリングリクエスト（ＳＲ）及び／またはランダムアクセスチャネル（ＲＡＣＨ）手順の発生を緩和するための処理の一例を例証するフローチャートである；
【図６】図６は、ＲＳ及び／またはＲＡＣＨ手順の発生を緩和するアクセス端末の一例を例証する；
【図７】図７は、ユーザ端末による使用のために半永続的なスケジュール（ＳＰＳ）を発生させる一例の基地局のブロック図である；及び
【図８】図８は、ＲＳ及び／またはＲＡＣＨ手順の発生を緩和する一例のシステムの例証である。
【詳細な説明】
【００１３】
様々な態様は、図面に関して今記述される。次に続く記述において、説明の目的のために、多数の特定の詳細は、１つ以上の態様の完全な理解を提供するために説明される。しかしながら、このような態様がこれらの特定の詳細な句実行されることができるということは明白であるかもしれない。
【００１４】
この出願において使用されるように、用語“構成要素”、“モジュール”、“システム”及びそれと同様のものは、これらに制限されないがハードウェア、ファームウェア、ハードウェア及びソフトウェアの組み合わせ、ソフトウェア、または実行中であるソフトウェアのような、コンピュータ関連のエンティティを含むことが意図されている。例えば、構成要素は、これらであることに制限されないが、プロセッサ上で実行する処理、プロセッサ、オブジェクト、実行ファイル、実行スレッド、プログラム、及び／またはコンピュータであることができる。例証として、コンピューティングデバイス上で実行するアプリケーション及びそのコンピューティングデバイスの両方は、構成要素であることができる。１つ以上の構成要素は、処理及び／または実行スレッド内に存することができ、構成要素は、１つのコンピュータ上でローカライズされるかもしれないし、２つ以上のコンピュータの間で分配されるかもしれない。加えて、これらの構成要素は、その上に記憶される様々なデータ構造を有する様々なコンピュータ読み取り可能媒体から実行することができる。構成要素は、ローカルシステム内、分配システム内、及び／または信号を手段として他のシステムを伴うインターネットのようなネットワークを渡る別の構成要素と相互に作用する１つの構成要素からのデータのような、１つ以上のデータパケットを有する信号に従うようなローカル及び／またはリモート処理経由で通信することができる。
【００１５】
なお、様々な態様は、有線端末または無線端末であることができる端末に関してここで記述される。端末はまた、システム、デバイス、加入者ユニット、加入者局、移動局、モバイル、モバイルデバイス、遠隔ステーション、遠隔端末、アクセス端末、ユーザ端末、端末、通信デバイス、ユーザエージェント、ユーザデバイス、またはユーザ装置（ＵＥ）と呼ばれることができる。無線端末は、携帯電話、衛星電話、コードレス電話、セッション初期化プロトコル（ＳＩＰ）電話、無線ローカルループ（ＷＬＬ）ステーション、パーソナルデジタルアシスタント（ＰＤＡ）、無線接続能力を有するハンドヘルドデバイス、コンピューティングデバイス、または無線モデムに接続された他の処理デバイスであることができる。更に、様々な態様は、基地局に関してここで記述される。基地局は、無線端末と通信するために利用されるかもしれないし、また、アクセスポイント、ノードＢ、発展したノードＢ（ｅＮＢ）、またはいくつかの他の用語として言及されるかもしれない。
【００１６】
更に、用語“または”は、排他的な“または”よりむしろ包括的な“または”を意味することが意図されている。すなわち、別の方法で明示される、または文脈から明白でない限り、表現“ＸはＡまたはＢを用いる”は、当然の包括的な置換のいずれかを意味することが意図されている。すなわち、表現“ＸはＡまたはＢを用いる”は、次に続く実例のいずれかによって満たされる：ＸはＡを用いる；ＸはＢを用いる；またはＸはＡ及びＢの両方を用いる。加えて、この出願及び添えられた特許請求の範囲において使用されるような冠詞“ａ”及び“ａｎ”は、単数形に導かれるために別の方法で明示されるまたは文脈から明白でない限り“１つ以上”を意味すると一般に解釈されるべきである。
【００１７】
ここで記述される技術は、ＣＤＭＡ、ＴＤＭＡ、ＦＤＭＡ、ＯＦＤＭＡ、ＳＣ−ＦＤＭＡ及び他のシステムのような様々な無線通信システムのために用いられることができる。用語“システム”及び“ネットワーク”は、交換可能なようにしばしば使用される。ＣＤＭＡシステムは、ユニバーサルテレストリアルラジオアクセス（ＵＴＲＡ）、ｃｄｍａ２０００等のような無線技術を実現する。ＵＴＲＡは、広帯域ＣＤＭＡ（Ｗ−ＣＤＭＡ）及びＣＤＭＡの他の変形を含む。更にまた、ｃｄｍａ２０００は、ＩＳ−２０００、ＩＳ−９５及びＩＳ−８５６標準をカバーする。ＴＤＭＡシステムは、グローバルシステムフォーモバイルコミュニケーション（ＧＳＭ（登録商標））のような無線技術を実現することができる。ＯＦＤＭＡシステムは、発展したＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ等のような無線技術を実現することができる。ＵＴＲＡ及びＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースである。そして、それは、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ及びＧＳＭは、“３ｒｄジェネレーションパートナーシッププロジェクト”（３ＧＰＰ）と名づけられた組織からのドキュメント中に記述されている。加えて、ｃｄｍａ２０００及びＵＭＢは、“３ｒｄジェネレーションパートナーシッププロジェクト２”（３ＧＰＰ２）と名づけられた組織からのドキュメント中に記述されている。更にまた、このような無線通信システムは、対になっていない無免許のスペクトル、８０２．ｘｘ無線ＬＡＮ、ブルートゥース（登録商標）及び任意の他の短または長距離の無線通信技術をしばしば使用するピアツーピア（例えば、モバイルツーモバイル）のアドホックネットワークシステムを更に含む。
【００１８】
様々な態様または特徴は、多数のデバイス、構成要素、モジュール、及びそれと同様のものを含むことができるシステムの点から提供されるであろう。様々なシステムが付加的なデバイス、構成要素、モジュール等を含むかもしれない、そして／または図に関して議論されるデバイス、構成要素、モジュール等の全ての含まないかもしれないということは理解されるべきであり、認識されるべきである。これらのアプローチの組み合わせはまた、使用されることができる。
【００１９】
図１は、無線通信システム１００を示す。その無線通信システム１００は、ＬＴＥネットワークであることができる。システム１００は、基地局１１０及び３ＧＰＰによって記述される他のネットワークエンティティを含むことができる。基地局は、アクセス端末と通信する固定局であることができる。各々の基地局１１０は、特別な地理的なエリアのために通信範囲を提供することができる。ネットワーク容量を改善するために、基地局の全体のサービスエリアは、複数（例えば、３つ）のより小さいエリアに分割されることができる。各々のより小さいエリアは、それぞれの基地局サブシステムによって受け持たれる。３ＧＰＰにおいて、用語“セル”は、基地局及び／またはこのサービスエリアを受け持つ基地局サブシステムの最も小さいサービスエリアを指すことができる。
【００２０】
システムコントローラ１３０は、移動性マネジメントエンティティ（ＭＭＥ）及びサービングゲートウェイ（Ｓ−ＧＷ）を含むことができ、１組の基地局に連結し、これらの基地局のための調整及び制御を提供することができる。Ｓ−ＧＷは、パケットデータ、ボイスオーバインターネットプロトコル（ＶｏＩＰ）、ビデオ、メッセージング等のようなデータサービスをサポートすることができる。ＭＭＥは、ハンドオーバでソース基地局及びターゲット基地局の間での経路切り替えに対して責任がある。システムコントローラ１３０は、コア及び／またはデータネットワーク（例えば、インターネット）に連結することができ、コア／データネットワークに連結された他のエンティティ（例えば、遠隔サーバ及び端末）と通信することができる。
【００２１】
アクセス端末１２０は、ネットワークの至る所に分散配置されることができ、各々のアクセス端末は、動かないかもしれないし、または移動できるかもしれない。アクセス端末は、ダウンリンク及びアップリンクによって基地局と通信することができる。ダウンリンク（または送信リンク）は、基地局からアクセス端末への通信リンクを指し、アップリンク（または逆方向リンク）は、アクセス端末から基地局への通信リンクを指す。図１において、２つの矢印を備えた実線は、基地局及びアクセス端末の間でのアクティブ通信を示す。
【００２２】
図２は、基地局２０４及びアクセス端末２０８の間のアップリンク２１２及びダウンリンク２１４を例証する。基地局２０４及びアクセス端末２０８は、図１に示される基地局１１０及びアクセス端末１２０に対応することができる。アップリンク２１２は、アクセス端末２０８から基地局２０４への送信を指し、ダウンリンク２１４は、基地局２０４からアクセス端末２０８への送信を指す。
【００２３】
図３は、通信システムのためのプロトコルスタックのいくつかの態様を例証する。基地局２０４及びアクセス端末２０８の両方は、図３において例証されるプロトコルスタック３００を含むことができる。プロトコルスタックは、物理層（ＰＨＹ）３１６、媒体アクセス制御（ＭＡＣ）３１８、及び上位層３２０を含むことができる。
【００２４】
各々のプロトコルは、サービスデータユニット（ＳＤＵ）を上位の副層／層から受信し、プロトコルデータユニット（ＰＤＵ）を下位の副層／層に供給する。例えば、ＭＡＣ層３１８は、１つ以上の論理チャネル３２２を経て上位層３２０からデータを受信する。上位層３２０は、パケットデータ収束プロトコル（ＰＤＣＰ）及び無線リンク制御（ＲＬＣ）を含むことができる。
【００２５】
ＭＡＣ層３１８は、論理チャネル３２２及び輸送チャネル３２４の間でのマッピング、輸送チャネル３２４のための輸送ブロックに／から論理チャネル３２２のための様々なＰＤＵの多重化及び逆多重化、輸送量測定報告、ハイブリッドＡＲＱ（ＨＡＲＱ）によるエラー訂正、アクセス端末の論理チャネル３２２の間での優先処理、動的スケジューリングによるアクセス端末の間での優先処理、輸送フォーマット選択、パディング等のような様々な機能を実行することができる。物理層３１６は、物理チャネル３２６によってデータ輸送サービスを提供する。例えば、アクセス端末２０８及び基地局２０４は、ＰＨＹ層３１６でＥ−ＵＴＲＡエアーリンクインタフェースを経て通信することができる。
【００２６】
ＭＡＣ層３１８は、論理チャネル３２２によってデータ転送サービスを提供することができる。１組の論理チャネル３２２は、ＭＡＣ層３１８によって提供された異なるデータ転送サービスのために定義されることができる。例えば、論理チャネル３２２の各々は、ボイスオーバＩＰ（ＶｏＩＰ）、テレビ電話、ファイル転送プロトコル（ＦＴＰ）、ゲーム等のような、特定のアプリケーションに対応することができる。ＭＡＣ層３１８はまた、論理チャネル３２２に対してデータを搬送するために１組の輸送チャネル３２４を利用することができる。論理チャネル３２２は、何が輸送されるかによって特徴づけられることができるが、輸送チャネル３２４は、ユーザデータ及び制御データが無線インタフェースによってどのように、及びどの特徴とともに送信されるかによって特徴づけられることができる。論理チャネル３２２は、輸送チャネル３２４にマッピングされることができる。そして、それは、物理チャネル３２６に更にマッピングされることができる。論理チャネル３２２の各々はまた、それが搬送するデータ転送サービスのタイプに依存する異なる優先度レベルを割り当てられることができる。例えば、ＶｏＩＰサービスを搬送する論理チャネルは、ＦＴＰサービスを搬送する論理チャネルより高い優先度を割り当てられることができる。アクセス端末から基地局に送信される用意ができているデータは、対応する論理チャネル３２２の送信バッファ（示されない）中に記憶される。アクセス端末は、より低い優先度の論理チャネル３２２上のデータより前により高い優先度の論理チャネル３２２上のデータを送信するように構成されている。
【００２７】
基地局は、半永続的なスケジューリング（ＳＰＳ）によってアクセス端末に許可を送信することによってアップリンク及びダウンリンク共有チャネル（ＵＬ−ＳＣＨ及びＤＬ−ＳＣＨ）のために物理層リソースを割り付けることができる。割り付けは、１つ以上の時間伝送間隔（ＴＴＩ）にとって有効であるかもしれない。各々のＴＴＩは、１つのサブフレーム（１ｍｓ）である。ＳＰＳは、それが変更されるまで持続する進行中の割り付けを基地局がセットアップするのを可能にする。
【００２８】
一般に、より高い優先度のデータがアクセス端末に到着するときはいつでも、規則的なバッファステータスレポート（ＢＳＲ）は、基地局に対する送信のために動作する。アクセス端末は、そのデータの優先度レベルと同じように、アクセス端末でバッファに格納されたデータの量に関して基地局のアップリンクパケットのスケジューラに通知するためにアップリンク上でＢＳＲを送信する。ＢＳＲメカニズムは、トリガ局面及びレポート局面を典型的に含む。
【００２９】
アップリンクデータがアクセス端末の送信バッファ中に到着し、アクセス端末の送信バッファ中に既に存在したものより高い優先度を備える論理チャネルグループにそのデータが属する場合、ＢＳＲは典型的に動作する。これはまた、からのバッファ中に到着する新しいデータの場合をカバーする。このタイプのＢＳＲは、“規則的なＢＳＲ”として言及されることができる。規則的なＢＳＲはまた、サービングセル変更が生じるときに動作することができる。“パディングＢＳＲ”及び“周期的なＢＳＲ”のような、他のタイプのＢＳＲはまた、異なるイベントによって動作することができる。
【００３０】
主なアップリンクバッファステータスレポートメカニズムは、スケジューリングリクエスト（ＳＲ）及びＢＳＲである。ＳＲは、物理アップリンク共有チャネル（ＰＵＳＣＨ）を要求するために典型的に使用され、レポートイベントが動作し、アクセス端末が現在のＴＴＩ中にＰＵＳＣＨ上でスケジュールに入れられないときに送信される。ＳＲは、様々な方法において基地局に運ばれることができる。１つの方法は、利用可能なとき、物理アップリンク制御チャネル（ＰＵＣＣＨ）上で専用の１ビットＢＳＲを使用することによる。ＰＵＣＣＨ上のＳＲリソースの発生は、アクセス端末毎に無線リソース制御（ＲＲＣ）によって構成される。別の方法は、ランダムアクセスチャネル手順（ＲＡＣＨ）を使用することによる。ＲＡＣＨは、ＰＵＳＣＨ割り付け及びＳＲリソースのどちらもＰＵＣＣＨ上で利用可能でないときに使用されることができる。ＳＲは、他の種類のＢＳＲでなく、“規則的なＢＳＲ”のトリガの結果としてのみ典型的にただ単に送信される。
【００３１】
図４は、ＬＴＥシステムにおいて使用されるＢＳＲメッセージの一例を例証する図である。ＢＳＲは、アクセス端末が現在のＴＴＩ中にＰＵＳＣＨ上でリソースを割り付け、レポートイベントが動作したときにＭＡＣ制御要素を使用して送信される。基本的に、フィールド長が省略され、バッファステータス情報と取り替えられる場合、ＢＳＲは、ＭＡＣパケットデータユニット（ＰＤＵ）４００として送信される。ＭＡＣＰＤＵ４００は、ＭＡＣヘッダ４０２及びＭＡＣサービスデータユニット（ＳＤＵ）４０４で発生する。ＭＡＣヘッダ４０２は、ＭＡＣＳＤＵ４０４のタイプ及びサイズを含む。
【００３２】
上述されたように、規則的なＢＳＲのトリガは、アクセス端末が規則的なＢＳＲを送信するためのアップリンク（ＵＬ）リソースを何も有さないときにＳＲを動作させることに帰着する。アクセス端末は、ＢＳＲを送信するためにそれが許可を受信するまでＳＲを基地局に繰り返して送信するであろう。ＳＲが基地局によって受け入れられない場合、それが送るためのデータを有するがそのデータを送るための許可を有さないということを基地局に示す、ＲＡＣＨ手順をアクセス端末は典型的に実行する。
【００３３】
半永続的なスケジューリング（ＳＰＳ）の一部として、基地局は、予め定義された許可をＵＬ上でデータを送信するための規則的な間隔でアクセス端末に送信することができる。そして、それは、規則的な間隔でデータの既知量を発生させるアプリケーション（例えば、ＶｏＩＰ）からデータを送信するためにアクセス端末によって使用されることができる。
【００３４】
典型的に、ＳＰＳは、周期的な送信時間間隔（ＴＴＩ）の間にのみ有効である。不運にも、基地局へのアクセス端末のための送信のためのデータの到着は、ＳＰＳのＴＴＩと通常一致しないであろう。したがって、データの到着は、規則的なＢＳＲを動作させることにおそらく帰着するであろう。そして、それは、次々にＳＲを動作させるであろう。ＳＲが基地局で受け入れられない場合、これは、偽のＲＡＣＨ手順を動作させるアクセス端末に帰着するであろう。そして、それは、基地局と同じようにアクセス端末の観点から高価なオペレーションであるかもしれない。
【００３５】
本開示の態様に従うと、基地局に送信されるべきデータの量がＳＰＳ許可によって提供される量より大きい場合にのみ、アクセス端末は、規則的なＢＳＲ／ＳＲ／ＲＡＣＨを動作させるだけのように構成されている。送信されるべきデータの量がＳＰＳ許可によって提供される量以下である場合、アクセス端末は、規則的なＢＳＲ／ＳＲ／ＲＡＣＨを動作させる代わりにこのデータを送信するためのその次のＳＰＳのＴＴＩの間隔を待つことができる。
【００３６】
基地局がＳＰＳ許可を非活性化するかまたは減らし、アクセス端末上に送信されるべき未決のデータがある場合、アクセス端末は、ＢＳＲ及び未決のデータを送信するための許可を得るためにＲＡＣＨ手順を動作させることを決定することができる。
【００３７】
ＳＰＳ許可がアクティブであるがアクセス端末から送信されるべきデータの量より少ない場合、及びＳＲが基地局によって受け入れられない場合、アクセス端末は、ＲＡＣＨを動作させる代わりにその次のＳＰＳのＴＴＩまでＢＳＲの送信を遅らせることを決定することができる。
【００３８】
送信されるべきデータの量がＳＰＳ許可によって提供されたデータの量より大きい場合、アクセス端末は、動的許可を基地局から得るためにＳＲ／ＲＡＣＨを動作させることを決定することができる。この場合、基地局がアクセス端末から送信されるべきデータの正確な量を認識していない一方、基地局は、ＳＰＳ許可によって提供されるより多くのデータがアクセス端末で待ち行列に入れられるということを認識している。基地局はそのとき、最小限の遅延でデータの送信に適応させるためにＳＰＳ許可に加えて動的許可が必要とされるということを決定することができる。
【００３９】
図５は、ＳＲ及び／またはＲＡＣＨ手順の発生を緩和するための処理の一例を例証するフローチャートである。その処理は、システム１００のアクセス端末１２０において実現されることができる。図５に示されるように、ブロック５０２において、より高い優先度のデータが高い優先度の論理チャネルのバッファ中に受信されるかどうかについての決定がされる。高い優先度のデータが受信されない場合、処理はブロック５０２に戻る。そうでなければ、処理はブロック５０４に進む。ブロック５０４において、ＳＰＳ許可が現在のＴＴＩ中の使用のために利用可能であるかどうかについての決定がされる。ＳＰＳ許可が利用可能でない場合、処理はブロック５１０に進む。そうでなければ、処理はブロック５０６に進む。ブロック５０６において、規則的なＢＳＲが動作し、処理はブロック５０８に進む。ブロック５０８において、高い優先度のデータは、現在のＳＰＳのＴＴＩの間に基地局に送信され、処理は終わる。
【００４０】
ブロック５１０において、高い優先度のデータの量がＳＰＳ許可によって提供されることができるデータの量より大きいかどうかについての決定がされる。データの量がＳＰＳ許可によって提供されたデータの量より大きい場合、処理はブロック５１４に進み、そうでなければ処理はブロック５１２に進む。ブロック５１２において、高い優先度のデータは次のＳＰＳのＴＴＩの間に基地局に送信され、ＢＳＲ、ＳＲ及びＲＡＣＨのどれも動作しない。その後、処理は終わる。
【００４１】
ブロック５１４において、規則的なＢＳＲが動作し、処理はブロック５１６に進む。ブロック５１６において、基地局がアクセス端末からＳＲを受信するように構成されているかどうかについての決定がされる。基地局がＳＲを受信するように構成されていない場合、処理はブロック５１８に進む。そうでなければ、処理はブロック５２０に進む。ブロック５１８において、ＢＳＲは、次のＳＰＳのＴＴＩの間に基地局に送信され、ＲＡＣＨは、動作しない。その後、処理は終わる。ブロック５２０において、ＳＲは、基地局に送信され、処理は終わる。ブロック５２０においてＳＲは、基地局に送信され、処理は終わる。
【００４２】
図６は、ＲＳ及び／またはＲＡＣＨ手順を動作させることを緩和するアクセス端末の例証である。アクセス端末６００は、図１に示されるアクセス端末１２０のうちの１つに対応することができる。図６に示されるように、アクセス端末６００は、例えば、１つ以上の受信アンテナ（示されない）から複数の信号を受信し、受信された信号に対して典型的なアクションを実行し（例えば、フィルタリングする、増幅する、ダウンコンバートする等）、及びサンプルを得るために調節された信号をデジタル化する受信機６０２を含むことができる。受信機６０２は、ここで記述されるように、各々の信号から受信されたシンボルを復調し、チャネル推定のためにそれらをプロセッサ６０６に提供することができる多数の復調器６０４を含むことができる。プロセッサ６０６は、受信機６０２によって受信された情報を分析及び／または送信機６１６による送信のための情報を発生させるために設けられるプロセッサ、アクセス端末６００の１つ以上の構成要素を制御するプロセッサ、及び／または受信機６０２によって受信された情報を分析及び／送信機６１６による送信のための情報を発生させるのみならずまた、アクセス端末６００の１つ以上の構成要素を制御するプロセッサであることができる。
【００４３】
アクセス端末６００は、プロセッサ６０６に動作可能なように連結され、送信されるべきデータ（例えば、高い優先度のデータ）、受信されたデータ、利用可能なチャネルと関連した情報、分析された信号と関連づけられたデータ及び／または干渉の強さ、割り当てられたチャネルに関連した情報、パワー、レート、またはそれと同様のもの、及びチャネルを推定及びチャネルによって通信するための任意の他の適切な情報を記憶することができるメモリ６０８を更に含むことができる。メモリ６０８は、チャネルを推定すること及び／または利用することと関連づけられたアルゴリズム及びプロトコルを更に記憶することができる（例えば、性能をベースとした、能力をベースとした等）。
【００４４】
ここで記述されるデータ記憶装置（例えば、メモリ６０８）が揮発性メモリまたは不揮発性メモリのうちのどちらか一方であることができる、または揮発性及び不揮発性メモリの両方を含むことができるということは認識されるであろう。制限でなく、例証として、不揮発性メモリは、リードオンリーメモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュメモリを含むことができる。揮発性メモリは、ランダムアクセスメモリ（ＲＡＭ）を含むことができる。そして、それは、外部キャッシュメモリとして作動する。制限でなく、例証として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、改良されたＳＤＲＡＭ（ＥＳＤＲＡＭ）、同期リンクＤＲＡＭ（ＳＬＤＲＡＭ）、及びダイレクトラムバスＲＡＭ（ＤＲＲＡＭ）のような多くの形式において利用可能である。主題のシステム及び方法のメモリ６０８は、制限されることなく、これらの及び任意の他の適切なタイプのメモリを備えることが意図されている。
【００４５】
受信機６０２は、図１に関して議論されたように、ＳＲ及び／またはＲＡＣＨ手順を動作させることを緩和し、高い優先度のデータのメモリ６０８における取得及び記憶を制御し、プロセッサ６０６によって送信機６１４とインタフェースで連結することによって基地局と直接通信することができるＳＲ／ＲＡＣＨコントローラに動作可能なように更に連結されることができる。例えば、本開示の態様に従って、コントローラ６１０は、データを論理チャネル上で受信する手段；第１の許可が第１の時間伝送間隔の間に利用可能でないということを決定する手段；受信されたデータの量に基づいてＢＳＲ、ＳＲ及びＲＡＣＨ手順のうちの少なくとも１つを発生させるかどうかを決定する手段、第２の許可が第２の時間伝送間隔の間に利用可能であるということを決定する手段；及び受信されたデータの量が許可のサイズ以下であるときにＢＳＲ、ＳＲ、及びＲＡＣＨ手順を発生させることなく第２の時間伝送間隔の間に受信されたデータを送信する手段であることができる。
【００４６】
アクセス端末６００は、例えば、基地局、ウェブ／インターネットアクセスポイントネーム（ＡＰＮ）、及び別のアクセス端末等に対して送信機６１４によって信号を変調し、送信する変調器６１２をまだ更に備える。プロセッサ６０６から離れているとして描かれているが、ＳＲ／ＲＡＣＨコントローラ６１０、復調器６０４、及び／または偏重気６１２は、複数のプロセッサ（示されない）またはプロセッサ６０６の一部であることができる。なお、ＳＲ／ＲＡＣＨコントローラ６１０の機能は、ＨＴＴＰスタック、データスタック、アプリケーション層において、オペレーティングシステム（ＯＳ）レベルで、インターネットブラウザアプリケーションにおいて、または特定用途向け集積回路において統合されることができる。
【００４７】
図７は、アクセス端末による使用のために半永続的なスケジュール（ＳＰＳ）を発生させるシステム７００の例証である。システム７００は、多数の受信アンテナ７０６を通って１つ以上のアクセス端末７０４から信号を受信する受信機７１０、及び送信アンテナ７０８を通って１つ以上のアクセス端末７０４に送信する送信機７２４を有する基地局７０２（例えば、アクセスポイント、フェムトセル等）を備える。受信機７１０は、受信アンテナ７０６から情報を受信することができ、受信された情報を復調する復調器７１２と動作可能なように関連づけられている。復調されたシンボルは、図１に関して上述された基地局７０８のためにいくつかのまたは全ての機能（例えば、半永続的なスケジューリング）を実行することができるプロセッサ７１４によって分析される。そして、それは、信号（例えば、パイロット）の強さ及び／または干渉の強さを推定することと関連した情報、モバイルデバイス７０４（または異なる基地局（示されない））に送信されるまたはモバイルデバイス７０４から受信されるべきデータ、及び／またはここで説明される様々なアクション及び機能を実行することと関連した任意の他の適切な情報を記憶するメモリ７１６に連結される。プロセッサ７１４は、アクセス端末７０４による使用のためにＳＰＳ発生させることができるスケジューラ７１８に更に連結されている。プロセッサ７１４から離れているとして描かれているが、スケジューラ７１８、復調器７１２、及び／または変調器７２０が複数のプロセッサ（示されない）またはプロセッサ７１４の一部であることができるということは認識されるべきである。
【００４８】
図８は、ＲＳ及び／またはＲＡＣＨ手順を動作させることを緩和する一例のシステム８００の例証である。例えば、システム８００は、アクセス端末等内に少なくとも部分的に存することができる。システム８００が機能ブロックを含むこととして表されるということは認識されるべきである。そしてそれは、プロセッサ、ソフトウェア、またはそれらの組み合わせ（例えば、ファームウェア）によって実現される機能を表す機能ブロックであることができる。システム８００は、結合して作動することができる手段の論理配置８０２を含む。例えば、論理配置８０２は、データを論理チャネル上で受信する手段８０４；第１の許可が第１の時間伝送間隔の間に利用可能でないということを決定する手段８０６；受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定する手段８０８；第２の許可が第２の時間伝送間隔の間に利用可能であるということを決定する手段８１０；及び受信されたデータの量が許可のサイズ以下であるときにＢＳＲ、ＳＲ、及びＲＡＣＨ手順を発生させることなく第２の時間伝送間隔の間に受信されたデータを送信する手段８１２を含むことができる。加えて、システム８００は、手段８０４〜８１２と関連づけられた機能を実行するための命令を保持するメモリ８１４を含むことができる。メモリ８１４の外部であるとして示されているが、手段８０４〜８１２の１つ以上がメモリ８１４内に存在することができるということは理解されるべきである。
【００４９】
ここで開示された実施形態に関して記述された様々な例証となるロジック、論理ブロック、モジュール、及び回路は、汎用プロセッサ、デジタルシグナルプロセッサ（ＤＰＳ）、特定用途向け集積回路（ＡＳＩＣ）、フィールドプログラマブルゲートアレイ（ＦＰＧＡ）または他のプログラム可能なロジックデバイス、ディスクリートなゲートまたはトランジスタロジック、ディスクリートなハードウェア構成要素、またはここで記述された機能を実行するように設計されたそれらの任意の組み合わせで実現されるまたは実行されることができる。汎用プロセッサは、マイクロプロセッサであることができるが、別な方法では、そのプロセッサは、任意の従来のプロセッサ、コントローラ、マイクロコントローラ、または状態機械であることができる。プロセッサはまた、コンピューティングデバイスの組み合わせ、例えばＤＳＰ及びマイクロプロセッサ、多数のマイクロプロセッサ、ＤＳＰコアと併せた１つ以上のマイクロプロセッサ、または任意の他のこのような構成の組み合わせとして実現されることができる。加えて、少なくとも１つのプロセッサは、上述されたステップ及び／またはアクションの１つ以上を実行するように動作可能な１つ以上のモジュールを備えることができる。
【００５０】
更にまた、ここで開示された態様に関して記述された方法またはアルゴリズムのステップ及び／またはアクションは、ハードウェアにおいて、プロセッサによって実行されるソフトウェアモジュールにおいて、またはその２つの組み合わせにおいて直接具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、またはその分野において知られている任意の他の形式の記憶媒体中に存する。プロセッサが記憶媒体から情報を読み込み、記憶媒体に情報を書き込むことができるように、例示的な記憶媒体は、プロセッサに連結されている。別な方法では、記憶媒体は、プロセッサに不可欠であるかもしれない。更にまた、いくつかの態様において、プロセッサ及び記憶媒体は、ＡＳＩＣ中に存するかもしれない。加えて、ＡＳＩＣは、ユーザ端末中に存するかもしれない。別な方法では、プロセッサ及び記憶媒体は、ディスクリートな構成要素としてユーザ端末中に存する可も知れない。加えて、いくつかの態様において、方法またはアルゴリズムのステップ及び／またはアクションは、コード及び／または命令の１つまたは任意の組み合わせまたはセットとして機械読み取り可能媒体及び／またはコンピュータ読み取り可能媒体上に存するかもしれない。そして、それは、コンピュータプログラム製品に組み入れられるかもしれない。
【００５１】
１つ以上の態様において、記述された機能は、ハードウェア、ソフトウェア、ファームウェア、またはそれらの任意の組み合わせにおいて実現されることができる。ソフトウェアにおいて実現される場合、その機能は、コンピュータ読み取り可能媒体上の１つ以上の命令またはコードとして記憶され、または送信されることができる。コンピュータ読み取り可能媒体は、ある場所から別の場所へのコンピュータプログラムの転送を促進する任意の媒体を含む通信媒体及びコンピュータ記憶媒体の両方を含む。記憶媒体は、コンピュータによってアクセスされることができる任意の利用可能な媒体であることができる。制限でなく、例として、このようなコンピュータ読み取り可能媒体は、ＲＡＭ、ＲＯＭ、ＥＥＰＲＯＭ、ＣＤ−ＲＯＭ、または他の光ディスク記憶装置、磁気ディスク記憶装置または他の磁気記憶デバイス、またはデータ構造または命令の形式において望まれるプログラムコードを搬送し、または記憶するために使用されることができ、コンピュータによってアクセスされることができる任意の他の媒体を備えることができる。また、任意の接続は、コンピュータ読み取り可能媒体と称されることができる。例えば、ソフトウェアがウェブサイト、サーバ、または同軸ケーブル、光ファイバケーブル、ツイストペア、デジタル加入斜線（ＤＳＬ）、または赤外線、無線、及びマイクロ波のような無線技術を使用する他の遠隔ソースから送信される場合、同軸ケーブル、光ファイバケーブル、ツイストペア、ＤＳＬ、または赤外線、無線、及びマイクロ波のような無線技術は、媒体の定義中に含まれる。ここで用いられるように、ディスク（disk）及びディスク（disc）は、コンパクトディスク（disc）（ＣＤ）、レーザディスク（disc）、光ディスク（disc）、デジタルバーサタイルディスク（disc）（ＤＶＤ）、フロッピー（登録商標）ディスク（disk）及びブルーレイディスク（disc）を含み、ディスク（disk）は、通常データを磁気的に再生するのに対し、ディスク（disc）は、通常レーザによってデータを光的に再生する。上記の組み合わせはまた、コンピュータ読み取り可能媒体の範囲内に含まれるべきである。
【００５２】
前述の開示は例証となる態様及び／または実施形態を議論しているが、様々な変更及び変形例が添えられた特許請求の範囲によって定義されるように記述された態様及び／または実施形態の範囲から逸脱することなくここで作成されることができるということは注意されるべきである。なお、記述される態様及び／または実施形態の要素は単数形で記述されるまたは要求されるかもしれないが、単数形に対する制限が明白に述べられていない限り複数形が意図される。加えて、任意の態様及び／または実施形態の全てまたは部分は、別な方法で述べられていない限り、任意の他の態様及び／または実施形態の全てまたは部分で利用されることができる。
以下に、本願出願時の特許請求の範囲に記載された発明を付記する。
〔１〕データを論理チャネル上で受信し、
第１の許可が第１の時間伝送間隔の間に利用可能でないということを決定し、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定し、
第２の許可が第２の時間伝送間隔の間に利用可能であるということを決定し、
前記受信されたデータの前記量が前記許可の前記サイズ以下であるときに前記ＢＳＲ、前記ＳＲ、及び前記ＲＡＣＨ手順を発生させることなく前記第２の時間伝送間隔の間に前記受信されたデータを送信する
ように構成されたコントローラを備える、無線通信装置。
〔２〕前記第１及び第２の許可の各々は、半永続的なスケジューリング（ＳＰＳ）許可である、前記〔１〕に記載の無線通信装置。
〔３〕前記コントローラは、前記受信されたデータの前記量が前記ＳＰＳ許可の前記サイズより大きいときに前記ＢＳＲを動作させるように更に構成されている、前記〔２〕に記載の無線通信装置。
〔４〕前記コントローラは、前記ＳＲを基地局に送信するかどうかを前記基地局が前記ＳＲを受信するように構成されているかどうかに基づいて決定し、前記基地局が前記ＳＲを受信するように構成されていないときに前記第２の時間伝送間隔の間に前記ＳＲ及び前記ＲＡＣＨ手順を動作させることなく前記ＢＳＲを前記基地局に送信するように更に構成されている、前記〔３〕に記載の無線通信装置。
〔５〕前記コントローラは、前記基地局が前記ＳＲを受信するように構成されているときに前記ＳＲを前記基地局に送信し、第３の許可を前記データの送信のために受信するように更に構成されている、前記〔４〕に記載の無線通信装置。
〔６〕前記論理チャネルは、他の論理チャネルより高い優先度を有するように指示されている、前記〔１〕に記載の無線通信装置。
〔７〕前記論理チャネルは、ボイスオーバインターネットプロトコル（ＶｏＩＰ）データを搬送するように構成されている、前記〔６〕に記載の無線通信装置。
〔８〕前記第３の許可は、前記第１の許可及び前記第２の許可と異なる許可のタイプである、前記〔５〕に記載の無線通信装置。
〔９〕前記第３の許可は、動的な許可である、前記〔８〕に記載の無線通信装置。
〔１０〕データを論理チャネル上で受信することと、
第１の許可が第１の時間伝送間隔の間に利用可能でないということを決定することと、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定することと、
第２の許可が第２の時間伝送間隔の間に利用可能であるということを決定することと、
前記受信されたデータの前記量が前記許可の前記サイズ以下であるときに前記ＢＳＲ、前記ＳＲ、及び前記ＲＡＣＨ手順を発生させることなく前記第２の時間伝送間隔の間に前記受信されたデータを送信することと
を備える、無線通信のための方法。
〔１１〕前記第１及び第２の許可の各々は、半永続的なスケジューリング（ＳＰＳ）許可である、前記〔１０〕に記載の方法。
〔１２〕前記受信されたデータの前記量が前記ＳＰＳ許可の前記サイズより大きいときに前記ＢＳＲを動作させることを更に備える、前記〔１１〕に記載の方法。
〔１３〕前記ＳＲを基地局に送信するかどうかを前記基地局が前記ＳＲを受信するように構成されているかどうかに基づいて決定することと、前記基地局が前記ＳＲを受信するように構成されていないときに前記第２の時間伝送間隔の間に前記ＳＲ及び前記ＲＡＣＨ手順を動作させることなく前記ＢＳＲを前記基地局に送信することとを更に備える、前記〔１２〕に記載の方法。
〔１４〕前記基地局が前記ＳＲを受信するように構成されているときに前記ＳＲを前記基地局に送信することと、第３の許可を前記データの送信のために受信することとを更に備える、前記〔１３〕に記載の方法。
〔１５〕前記論理チャネルは、他の論理チャネルより高い優先度を有するように指示されている、前記〔１０〕に記載の方法。
〔１６〕前記論理チャネルは、ボイスオーバインターネットプロトコル（ＶｏＩＰ）データを搬送するように構成されている、前記〔１５〕に記載の方法。
〔１７〕前記第３の許可は、前記第１の許可及び前記第２の許可と異なる許可のタイプである、前記〔１４〕に記載の方法。
〔１８〕前記第３の許可は、動的な許可である、前記〔１７〕に記載の方法。
〔１９〕データを論理チャネル上で受信する手段と、
第１の許可が第１の時間伝送間隔の間に利用可能でないということを決定する手段と、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定する手段と、
第２の許可が第２の時間伝送間隔の間に利用可能であるということを決定する手段と、
前記受信されたデータの前記量が前記許可の前記サイズ以下であるときに前記ＢＳＲ、前記ＳＲ、及び前記ＲＡＣＨを発生させることなく前記第２の時間伝送間隔の間に前記受信されたデータを送信する手段と
を備える装置。
〔２０〕前記第１及び第２の許可の各々は、半永続的なスケジューリング（ＳＰＳ）許可である、前記〔１９〕に記載の装置。
〔２１〕前記受信されたデータの前記量が前記ＳＰＳ許可の前記サイズより大きいときに前記ＢＳＲを動作させる手段を更に備える、前記〔２０〕に記載の装置。
〔２２〕前記ＳＲを基地局に送信するかどうかを前記基地局が前記ＳＲを受信するように構成されているかどうかに基いて決定する手段と、前記基地局が前記ＳＲを受信するように構成されていないときに前記第２の時間伝送間隔の間に前記ＳＲ及び前記ＲＡＣＨを動作させることなく前記ＢＳＲを前記基地局に送信する手段とを更に備える、前記〔２１〕に記載の装置。
〔２３〕前記基地局が前記ＳＲを受信するように構成されているときに前記ＳＲを前記基地局に送信する手段と、第３の許可を前記データの送信のために受信する手段とを更に備える、前記〔２２〕に記載の装置。
〔２４〕前記論理チャネルは、他の論理チャネルより高い優先度を有するように指示されている、前記〔１９〕に記載の装置。
〔２５〕前記論理チャネルは、ボイスオーバインターネットプロトコル（ＶｏＩＰ）データを搬送するように構成されている、前記〔２４〕に記載の装置。
〔２６〕前記第３の許可は、前記第１の許可及び前記第２の許可と異なる許可のタイプである、前記〔２３〕に記載の装置。
〔２７〕前記第３の許可は、動的な許可である、前記〔２６〕に記載の装置。
〔２８〕データを論理チャネル上で受信するためのコードと、
第１の許可が第１の時間伝送間隔の間に利用可能でないということを決定するためのコードと、
前記受信されたデータの量に基づいてバッファステータスレポート（ＢＳＲ）、スケジューリングリクエスト（ＳＲ）、及びランダムアクセスチャネル（ＲＡＣＨ）手順のうちの少なくとも１つを発生させるかどうかを決定するためのコードと、
第２の許可が第２の時間伝送間隔の間に利用可能であるということを決定するためのコードと、
前記受信されたデータの前記量が前記許可の前記サイズ以下であるときに前記ＢＳＲ、前記ＳＲ、及び前記ＲＡＣＨ手順を発生させることなく前記第２の時間伝送間隔の間に前記受信されたデータを送信するためのコードと
を備えるコンピュータ読み取り可能媒体を備える、コンピュータプログラム製品。
〔２９〕前記第１及び第２の許可の各々は、半永続的なスケジューリング（ＳＰＳ）許可である、前記〔２８〕に記載のコンピュータプログラム製品。
〔３０〕前記コンピュータより取り可能媒体は、前記受信されたデータの前記量が前記ＳＰＳ許可の前記サイズより大きいときに前記ＢＳＲを動作させるためのコードを更に備える、前記〔２９〕に記載のコンピュータプログラム製品。
〔３１〕前記コンピュータ読み取り可能媒体は、前記ＳＲを基地局に送信するかどうかを前記基地局が前記ＳＲを受信するように構成されているかどうかに基づいて決定するためのコードと、前記基地局が前記ＳＲを受信するように構成されていないときに前記第２の時間伝送間隔の間に前記ＳＲ及び前記ＲＡＣＨを動作させることなく前記ＢＳＲを前記基地局に送信するためのコードとを更に備える、前記〔３０〕に記載のコンピュータプログラム製品。
〔３２〕前記コンピュータ読み取り可能媒体は、前記基地局が前期ＳＲを受信するように構成されているときに前記ＳＲを前記基地局に送信するためのコードと、第３の許可を前記データの送信のために受信するためのコードとを更に備える、前記〔３１〕に記載のコンピュータプログラム製品。
〔３３〕前記論理チャネルは、他の論理チャネルより高い優先度を有するように指示されている、前記〔２８〕に記載のコンピュータプログラム製品。
〔３４〕前記論理チャネルは、ボイスオーバインターネットプロトコル（ＶｏＩＰ）データを搬送するように構成されている、前記〔３３〕に記載のコンピュータプログラム製品。
〔３５〕前記第３の許可は、前記第１の許可及び前記第２の許可と異なる許可のタイプである、前記〔３２〕に記載のコンピュータプログラム製品。
〔３６〕前記第３の許可は、動的な許可である、前記〔３５〕に記載のコンピュータプログラム製品。
【図１】
0005242791.tif 000002
【図２】
0005242791.tif 000003
【図３】
0005242791.tif 000004
【図４】
0005242791.tif 000005
【図５】
0005242791.tif 000006
【図６】
0005242791.tif 000007
【図７】
0005242791.tif 000008
【図８】
0005242791.tif 000009